(57)【要約】【課題】客が商品表示部を常に見やすく、また店員による整理、整頓の手間を省ける容器の陳列装置を提供する。【解決手段】商品陳列棚２に左右２本のガイドレール８ａ，８ｂが容器１の糸尻部３の直径よりも小さい間隔で前後方向にわたって平行に設けられる一方、糸尻部３にガイドレール８ａ，８ｂにそれぞれ摺動自在に嵌合する前後左右４個の凹部１１ａ，１１ｂ，１１ｃ，１１ｄが設けられ、容器１が凹部１１ａ，１１ｂ，１１ｃ，１１ｄとガイドレール８ａ，８ｂとの嵌合により容器１の正面側に施した商品表示部７が正面に向く姿勢になるよう設定している。【選択図】図４
2009285046.tif 000002
【特許請求の範囲】
【請求項１】
環状の糸尻部が突設された底面部と筒状の胴部を有する容器本体と、容器本体の正面側に施され、商品名、商標等の文字や図柄等を付した商品表示部とを備えた容器と、この容器が陳列される商品陳列棚とを備え、前記商品陳列棚に左右２本のガイドレールが前記糸尻部の直径よりも小さい間隔で前後方向にわたって平行に設けられ、前記糸尻部に、前記２本のガイドレールにそれぞれ摺動自在に嵌合する前後左右４個の凹部が設けられ、前記容器が前記凹部とガイドレールとの嵌合により前記商品表示部を正面に向ける姿勢になるよう設定していることを特徴とする、容器の陳列装置。
【請求項２】
前後左右４個の凹部は、前後の凹部どうしをそれぞれ結ぶ線分を長辺とし、左右の凹部どうしをそれぞれ結ぶ線分を短辺とする長方形を描くように配列されている、請求項１記載の容器の陳列装置。
【請求項３】
長方形を描く前後左右４個の凹部を一組とし、これが複数組設けられている、請求項２記載の容器の陳列装置。
【請求項４】
前記ガイドレールは、前記商品陳列棚とは別体に形成されて該商品陳列棚上に敷設される商品載置部材に設けられている、請求項１ないし３のいずれか１項に記載の容器の陳列装置。
【発明の詳細な説明】
【技術分野】
【０００１】
本発明は、容器の陳列装置に関する。
【背景技術】
【０００２】
コンビニエンス・ストアやスーパーマーケット等において、例えば、ジュース、茶、ビール、水、或いはその他の飲料水等が入れられたびん、缶、ペットボトルなどの容器は冷蔵ケースや陳列ケース等の陳列棚の上に立て姿勢で前後方向に直列状に並べて陳列されている（例えば、特許文献１、２参照。）。
【０００３】
【特許文献１】特開２００５−２７０４１９号公報
【特許文献１】特開２００６−２３９１３７号公報
【発明の開示】
【発明が解決しようとする課題】
【０００４】
しかしながら、当初、店の従業員によって陳列棚上には容器が正面側から商品名、商標等の文字や図柄等を付した商品表示部がよく見えるように陳列されるが、客により先頭の容器が取り出される都度、後続の容器が前方へ移動するに伴い容器軸芯まわりに回動し、この回動により商品表示部が見えにくい方向に変わり、商品を正面から確認し難くなるという問題がある。かと言って、定期的に店員が商品表示部が正面側になるように整理、整頓するにしてもこの作業は甚だ面倒で、時間がかかるという問題があった。
【０００５】
本発明は、このような問題を解決するためになされたものであり、その目的とするところは、容器の商品表示部が商品陳列棚上で常に正面側に向く姿勢に維持できるように工夫を凝らすことにより客が商品表示部を常に見やすく、また店員による整理、整頓の手間を省ける容器の陳列装置を提供することにある。
【課題を解決するための手段】
【０００６】
本発明の容器の陳列装置は、請求項１に記載のように、環状の糸尻部が突設された底面部と筒状の胴部を有する容器本体と、容器本体の正面側に施され、商品名、商標等の文字や図柄等を付した商品表示部とを備えた容器と、この容器が陳列される商品陳列棚とを備え、前記商品陳列棚に左右２本のガイドレールが前記糸尻部の直径よりも小さい間隔で前後方向にわたって平行に設けられ、前記糸尻部に、前記２本のガイドレールにそれぞれ摺動自在に嵌合する前後左右４個の凹部が設けられ、前記容器が前記凹部とガイドレールとの嵌合により前記商品表示部を正面に向ける姿勢になるよう設定していることに特徴を有するものである。
これによると、容器は商品表示部が正面に向き、糸尻部の前後左右４個の凹部が左右２本のガイドレールに嵌合するように陳列することにより、容器は商品陳列棚上で容器軸芯まわりに回動するようなことが無くなる。したがって、先頭の容器を取り出したとき後続の容器は商品表示部を正面に向けたままの姿勢が維持される。とくに、ガイドレールは左右２本設け、これに容器の前後左右４個の凹部を嵌合させているので、容器は常に商品陳列棚上に安定良く立つことができ、またガイドレールに沿って安定良く移動することができる。
【０００７】
請求項１記載の容器の陳列装置は、請求項２記載のように、前後左右４個の凹部は、前後の凹部どうしをそれぞれ結ぶ線分を長辺とし、左右の凹部どうしをそれぞれ結ぶ線分を短辺とする長方形を描くように配列されるという構成を採用することができる。これによると、容器は長辺（前後の凹部どうし間の線分）を前後方向に特定するという方向性を持たせることができるため、商品表示部と凹部との位置関係を出しやすくなり、それだけ商品表示部や凹部の加工が容易になる。
【０００８】
請求項２記載の容器の陳列装置は、請求項３記載のように、長方形を描く前後左右４個の凹部を一組とし、これが複数組設けられるという構成を採用することができる。これによると、商品表示部や凹部の加工において商品表示部と凹部との相対位置関係を厳密に考慮しなくても、商品表示部と凹部の両者の位置関係が対応しやすくなる。
【０００９】
請求項１ないし３のいずれか１項に記載の容器の陳列装置は、請求項４に記載のように、前記ガイドレールは、前記商品陳列棚とは別体に形成されて該商品陳列棚上に敷設される商品載置部材に設けられるという構成を採用することができる。これによると、既設の商品陳列棚に改変を加えることなく、既設の商品陳列棚に商品載置部材を置くだけで容易に実現できる。
【発明の効果】
【００１０】
本発明によれば、容器の商品表示部が商品陳列棚上で常に正面側に向く姿勢に維持できるので、常に客が商品表示部を見やすく、また店員が整理、整頓する手間を省略できるという利点がある。
また、従来では容器の正面側と裏面側とを同じデザインにすることで商品表示部が正面を向く確率を上げていたが、本発明では、円筒状の容器本体であっても四角い容器本体（四角柱状の容器本体）の場合と同じように、表裏のデザインを変えることができ、限られたスペース内で多様なデザイン・表示を行うことができる。
さらに、本発明では、真正面に向かなければ表示効果がでないようなデザインも可能となる。具体的には、現行品のビール等では約１１０°の角度範囲内に正面図柄が納まるようにしているが、本発明の場合では、例えば６０°さらには３０°というように極端に狭い角度範囲に図柄を限定して表示することにより消費者の注意を惹き付けるようにすることも可能となる。
さらに、請求項３に係る発明の場合では、複数の容器を使用し、各容器の方向を少しずつ変えて横並びに配置することにより連続的なデザインを表示して、展示効果を上げることも可能となる。これにより、容器幅という表示部の制約をなくして、多様で個性的な商品表示を行うことができる。
【発明を実施するための最良の形態】
【００１１】
本発明の好適な実施例を図面に基づき説明する。図１は本発明の容器の陳列装置に適用する容器の一実施例を示し、（ａ）は正面図、（ｂ）は底面図、図２は本発明の容器の陳列装置に適用する商品載置部材の一実施例を示す平面図、図３は図２の商品載置部材の断面図、図４は図１の容器を図２の商品載置部材に載置した状態を示す断面図、図５は商品陳列棚において図１の容器を図２の商品載置部材に前後方向に並べて載置した状態を示す斜視図である。
【００１２】
本発明に係る容器の陳列装置は、図５に示すように、ジュース、茶、ビール、水、或いはその他の飲料水や食品等が入れられたびん、缶、ペットボトルなどの容器１と、この容器１が陳列される冷蔵ケースや陳列ケース等の商品陳列棚２とを備える。
【００１３】
図１に示すように、容器１は、環状の糸尻部３が突設された底面部４と筒状の胴部５を有する容器本体６と、容器本体６の正面側に施され、商品名、商標等の文字や図柄等の商品表示部７とを備える。商品表示部７は容器本体６の正面側に直接印刷したもの、あるいはラベルに商品表示部７を印刷しこのラベルを容器本体６の正面側に貼付したものなどがある。
【００１４】
図５に示すように、商品陳列棚２には左右２本のガイドレール８ａ，８ｂが容器１の糸尻部３の直径よりも小さい間隔で前後方向にわたって平行に設けられる。この左右２本のガイドレール８ａ，８ｂは商品陳列棚２の棚板２ａに直接設けてもよいが、本実施例では図２、図３に示すような商品載置部材１０に左右２本のガイドレール８ａ，８ｂを設け、この商品載置部材１０を商品陳列棚２の棚板２ａの上に置くようにしている。
【００１５】
図１に示すように、容器１の糸尻部３には、２本のガイドレール８ａ，８ｂにそれぞれ摺動自在に嵌合する前後左右４個の凹部１１ａ，１１ｂ，１１ｃ，１１ｄが設けられ、容器１がこの凹部１１ａ，１１ｂ，１１ｃ，１１ｄとガイドレール８ａ，８ｂとの嵌合により商品表示部７を正面に向ける姿勢になるよう設定している。
【００１６】
かくして、図４に示すように、容器１は商品表示部７が正面に向き、糸尻部３の凹部１１ａ，１１ｂ，１１ｃ，１１ｄがガイドレール８ａ，８ｂに嵌合するように陳列すると、容器１は商品陳列棚２上で容器軸芯まわりに回動するようなことが無くなる。したがって、先頭の容器１を取り出したとき後続の容器１は商品表示部７を正面に向けたままの姿勢が維持される。
【００１７】
容器１は前後方向性を持たせて商品表示部７と凹部１１ａ，１１ｂ，１１ｃ，１１ｄとの位置関係を出しやすくして商品表示部７や凹部１１ａ，１１ｂ，１１ｃ，１１ｄの加工が容易になるように、図２に示すように、前後左右４個の凹部１１ａ，１１ｂ，１１ｃ，１１ｄは前後の凹部１１ａ，１１ｃどうし及び１１ｂ，１１ｄどうしをそれぞれ結ぶ線分Ａを長辺とし、左右の凹部１１ａ，１１ｂどうし及び１１ｃ，１１ｄどうしをそれぞれ結ぶ線分Ｂを短辺とする長方形を描くように配列するものとすることができる。
【００１８】
商品表示部７や凹部１１ａ，１１ｂ，１１ｃ，１１ｄの加工においてこの両者の商品表示部７と凹部１１ａ，１１ｂ，１１ｃ，１１ｄとの相対位置関係を厳密に考慮しなくても、商品表示部７と凹部１１ａ，１１ｂ，１１ｃ，１１ｄの両者の位置関係が対応しやすくなるようにするために、図６に例示するように、長方形を描く前後左右４個の凹部１１ａ，１１ｂ，１１ｃ，１１ｄを一組とし、これが複数組設けられるという構成を採用することができる。図６の図示例では、前後左右４個の凹部１１ａ，１１ｂ，１１ｃ，１１ｄは３０度ずつ位相をずらして６組設けている。
【００１９】
商品載置部材１０は図２、図３に示すように、容器１の直径と略同一の左右横幅でかつ前後方向に棚板２ａの奥行き寸法と略同一長さに形成された四角形の平板１２の上面に、左右２本のガイドレール８ａ，８ｂが容器１の糸尻部３の直径よりも小さい間隔で前後方向にわたって平行に設けることにより構成することができる。この場合、平板１２をメッシュ状に形成すれば、冷気の循環を阻害することなく使用できる。
【００２０】
また、商品載置部材１０は、図７、図８に示すようにワイヤー１３を、前後方向に棚板２ａの奥行き寸法と略同一長さを有しかつ左右方向に容器１の糸尻部３の直径よりも小さい間隔寸法を有する四角形枠状に形成して、その前後方向の左右枠片１３ａ，１３ｂをガイドレール８ａ，８ｂとなすことにより構成することもできる。このワイヤー１３からなる商品載置部材１０は、図９に示すように周知のローラー式の棚板２ａ（前方に向かって下り傾斜の棚板２ａに、前後方向に直交するように細長なローラー１４が複数並んで設けられている）に置くだけでローラー１４による滑り取出しをそのまま利用でき、また冷気の循環を阻害することなく使用できる。
【００２１】
本発明が対象とする容器１は、ジュース、茶、ビール、水、或いはその他の飲料水や食品（カップ麺、菓子類等）、ドリンク剤等が入れられたびん、缶、ペットボトルなどの飲食用容器に限られず、それ以外に、例えば、醤油やソース等調味料、ヘヤーケア等化粧品、殺虫剤、ホームケア剤、芳香剤、消臭剤、シャンプー、リンス類などが入れられた各種容器にも適用できる。また、ポリエチレン・テレフタラート（ＰＥＴ）以外の樹脂製容器や、びん、金属缶以外に紙製容器、木製容器、スプレー容器、ミスト容器などにも広く適用できる。
【図面の簡単な説明】
【００２２】
【図１】本発明の容器の陳列装置に適用する容器の一実施例を示し、（ａ）は正面図、（ｂ）は底面図である。
【図２】本発明の容器の陳列装置に適用する商品載置部材の一実施例を示す平面図である。
【図３】図２の商品載置部材の断面図である。
【図４】図１の容器を図２の商品載置部材に載置した状態を示す断面図である。
【図５】商品陳列棚において図１の容器を図２の商品載置部材に前後方向に並べて載置した状態を示す斜視図である。
【図６】他の実施例の容器を示し、（ａ）は正面図、（ｂ）は底面図である。
【図７】他の実施例の商品載置部材の平面図である。
【図８】図７の商品載置部材の断面図である。
【図９】図１の容器を図７の商品載置部材に載置した状態を示す断面図である。
【符号の説明】
【００２３】
１  容器
２  商品陳列棚
２ａ  棚板
３  糸尻部
４  底面部
５  胴部
６  容器本体
７  商品表示部
８ａ，８ｂ  ガイドレール
１０  商品載置部材
１１ａ，１１ｂ，１１ｃ，１１ｄ  凹部
【図１】
2009285046.tif 000003
【図２】
2009285046.tif 000004
【図３】
2009285046.tif 000005
【図４】
2009285046.tif 000006
【図５】
2009285046.tif 000007
【図６】
2009285046.tif 000008
【図７】
2009285046.tif 000009
【図８】
2009285046.tif 000010
【図９】
2009285046.tif 000011